(57)【要約】【課題】靴底と足裏とを確実に接着することによって足と靴との一体感を高め、足の運動力を靴を介して地面に確実に伝えることができる靴の中敷きを提供する。【解決手段】靴底８ａと足裏７ａとの間に介在させる靴の中敷き１であって、足裏形状に形成すると共に、足裏７ａに接する第１面１ａ及び靴底８ａに接する第２面１ｂの両面全面を粘着剤３による粘着面２とすることにより、足裏７ａと靴底８ａとの相互に当接する面同士を全面的に接着させる。【選択図】図３
2011019764.tif 000002
【特許請求の範囲】
【請求項１】
靴底と足裏との間に介在させる靴の中敷きであって、足裏形状に形成すると共に、足裏に接する第１面及び靴底に接する第２面の両面全面を粘着剤による粘着面とすることにより、足裏と靴底との相互に当接する面同士を全面的に接着させるように形成されていることを特徴とする靴の中敷き。
【請求項２】
上記第１面と第２面との間に薄くて柔軟なベースシートが介在していることを特徴とする請求項１に記載の靴の中敷き。
【請求項３】
上記粘着剤にメンソール及びカプサイシンが配合されていることを特徴とする請求項１又は２に記載の靴の中敷き。
【請求項４】
上記第１面及び第２面にそれぞれ離形シートが貼付され、靴底側の第２面に貼付された離形シートは、指先側の端部において踵側に向けて折り返され、折返部の先端が踵側の端部より延出して摘み部を形成していることを特徴とする請求項１から３の何れかに記載の靴の中敷き。
【発明の詳細な説明】
【技術分野】
【０００１】
本発明は、靴の中敷きに関するものであり、なかでも特に運動用靴に用いるのに適した中敷きに関するものである。
【背景技術】
【０００２】
靴の中敷きは、通常、靴と足とのフィット感を高めたり、靴底と足裏との間に空隙を形成して足の蒸れを軽減するなど、主として履き心地を改善する目的で使用され、靴の内部に挿入して靴底上に重ねた状態にして使用される。
【０００３】
一方、運動靴用の中敷きとして、該中敷きと靴底あるいは足裏との間の滑りを防止する目的で、該中敷きを接着テープや面ファスナー等によって靴底や足裏に固定できるようにした固定式の中敷きも知られている。例えば特許文献１には、両面接着テープで靴底に接着するようにした中敷きが開示されている。また、特許文献２には、面ファスナーと両面接着テープとで足に固定できるようにした中敷きが開示されている。
このような固定式の中敷きを使用することにより、該中敷きと靴底あるいは足裏との間の滑りが防止されて足と靴との一体感が増すため、非固定式の中敷きを使用する場合よりは運動効率が向上する。
【０００４】
しかし、上記従来の固定式の中敷きは、両面接着テープや面ファスナー等で一部を靴底又は足裏の何れか一方に接着するものであるため、接着力が弱く、接着されていない部分で滑りが発生し易いのはもちろんのこと、接着されている部分でも位置ずれが生じ、足の運動力を該中敷き及び靴を介して地面に十分伝えることができなかった。特にランニングなどの激しい運動をする場合に滑りが発生するのを防止することはできなかった。
【先行技術文献】
【特許文献】
【０００５】
【特許文献１】特開平８−２９９０２２号公報
【特許文献２】特開平１０−４２９０８号公報
【発明の概要】
【発明が解決しようとする課題】
【０００６】
本発明の技術的課題は、靴底と足裏とを確実に接着することによって足と靴との一体感を高め、足の運動力を靴を介して地面に確実に伝えることができるようにした靴の中敷きを提供することにある。
【課題を解決するための手段】
【０００７】
上記課題を解決するため、本発明によれば、靴底と足裏との間に介在させる靴の中敷きであって、足裏形状に形成すると共に、足裏に接する第１面及び靴底に接する第２面の両面全面を粘着剤による粘着面とすることにより、足裏と靴底との相互に当接する面同士を全面的に接着するように形成されていることを特徴とする靴の中敷きが提供される。
【０００８】
本発明の中敷きは、上記粘着剤だけで形成することができるが、上記第１面と第２面との間に薄くて柔軟なベースシートが介在していても構わない。
本発明において好ましくは、上記粘着剤にメンソール及びカプサイシンが配合されていることである。
また、本発明の好ましい構成態様によれば、上記第１面及び第２面に離形シートが貼付され、靴底側の第２面に貼付された離形シートは、指先側の端部において踵側に向けて折り返され、折返部の先端が踵側の端部より延出して摘み部を形成している。
【発明の効果】
【０００９】
本発明の靴の中敷きは、足裏と靴底との相互に当接する面同士を全面的に接着するものであるため、足と靴との一体感を高めて足の運動力を靴を介して地面に確実に伝えることができる。
【図面の簡単な説明】
【００１０】
【図１】本発明に係る中敷きの第１実施形態を示す部分破断平面図である。
【図２】図１の中敷きの拡大断面図である。
【図３】本発明の中敷きの使用方法を説明するための断面図である。
【図４】本発明の中敷きの第２実施形態を示す断面図である。
【発明を実施するための形態】
【００１１】
以下、本発明に係る靴の中敷きの実施形態を図面に基づいて詳細に説明する。図１には左足用及び右足用の一足分の中敷きが示されている。そして、右足用の中敷きに参照符号「１Ａ」が付され、左足用の中敷きに参照符号「１Ｂ」が付されているが、これらの中敷きは、平面視形状が左右対象形であるという点で相違するだけで、それ以外の構成は実質的に同じであるため、以下の説明において、右足用の中敷き１Ａと左足用の中敷き１Ｂとを区別する必要があるとき以外は、両者を単に「中敷き１」と表示するものとする。
【００１２】
図１及び図２から分かるように、上記中敷き１は、靴底と足裏との間に介在して該靴底と足裏とを接着するもので、平面視形状が足裏形状に形成され、足裏に接する第１面１ａの全面及び靴底に接する第２面１ｂの全面が、粘着剤３により形成された粘着面２となっている。そして、この中敷き１により、足裏と靴底との相互に当接する面同士を全面的に接着するものである。
図示した中敷き１は、足の指先から踵に至る足裏部分のうち土踏まずの部分は靴底に当接しないため、この土踏まずの部分を除いた足裏形状に形成されている。しかし、土踏まずの部分を含む足裏形状に形成しても良い。また、この中敷き１の厚さは全体としてほぼ一定である。
【００１３】
上記粘着剤３は、中敷き１の使用中には強い接着性を示すが、使用後は靴底及び足裏から剥離することができるような、一時的な接着性を示すものが好ましく、このような粘着剤３として、例えばゴムに軟化剤や粘着付与剤等を配合して柔らかく混練りしたものが好適に使用される。この粘着剤３中には、爽快感をもたらすほか沈痛、防臭作用等もあるメンソールや、血行促進作用のあるカプサイシン等を配合することもできる。
【００１４】
上記中敷き１は、上記第１面１ａと第２面１ｂとの間に、例えば紙や不織布等からなる薄くて柔軟なベースシート４を介在させて形成することができるが、粘着剤３の弾性率がある程度大きい場合には、この粘着剤３のみで中敷き１を形成することもできる。
【００１５】
上記ベースシート４を用いる場合は、広いベースシート４の両面に上記粘着剤３を摺り込むようにコーティングして中敷き素材を形成し、この中敷き素材を足裏形状に打ち抜くようにする。
また、粘着剤３のみによって中敷き１を形成する場合は、該粘着剤３を広いシート状に延伸させて中敷き素材を形成し、この中敷き素材を足裏形状に打ち抜くようにする。
【００１６】
上記中敷き１の両面即ち第１面１ａ及び第２面１ｂには、離形シート５，６が貼付されている。足裏側の第１面１ａに貼付された第１の離形シート５は、中敷き１と同じ形状及び同じ大きさに形成されていて、該第１面１ａ全体を覆っている。しかし、この第１の離形シート５は、中敷き１より若干大きく形成されていても良い。
【００１７】
また、靴底側の第２面１ｂに貼付された第２の離形シート６は、中敷き１と同じ形状及び同じ大きさに形成されて該第２面１ｂ全体を覆う本体部６ａと、該本体部６ａの指先側の端部から踵側に向けて折り返された折返部６ｂとからなっていて、該折返部６ｂの基端部は、中敷き１の踵側端部を越えて外部に延出し、摘み部６ｃを形成している。この摘み部６ｃは、第１面１ａ側に折り返されている。上記折返部６ｂは、上記本体部６ａと同じ形状をしていても良いが、違う形状、例えば該本体部６ａより幅狭のテープ状等に形成されていても良い。
【００１８】
上記構成を有する中敷き１を使用するときは、図３に示すように、先ず、第１面１ａに貼付された第１の離形シート５を剥がし、中敷き１を足７の裏即ち足裏７ａに接着する。このとき、上記第１の離形シート５の指先側の部分を一部だけ剥がし、中敷き１の先端部を足指の裏に接着して位置決めをしたあと、上記第１の離形シート５を踵側に向けて徐々に剥がしつつ、手指や掌で中敷き１を押圧して足裏７ａにフィットさせながら接着させることにより、該中敷き１を足裏全面に密に接着する。
【００１９】
次に、上記中敷き１の第２面１ｂに貼付された第２の離形シート６は剥がさないまま、足７を靴８の中に入れて互いの位置決めをする。このとき、上記第２の離形シート６の摘み部６ｃは、靴８の踵部から上方外部に延出している。そして、足７と靴８との位置決めが終わったら、足裏全体を靴底８ａに対して若干浮かせ気味にした状態で上記摘み部６ｃを引き、第２の離形シート６の指先側の部分を剥離させることにより、中敷き１の指先側の部分を靴底８ａに接着する。続いて、足の指先側の部分を支点として足の踵側を少し浮かせ気味にしつつ、上記摘み部６ｃを引っ張ることによって第２の離形シート６を全部剥がし、足裏全体に体重をかけることにより中敷き１の第２面１ｂ全面を靴底８ａに密に接着させる。
上記作業を右足用の中敷き１Ａと左足用の中敷き１Ｂとについて行うことにより、両足の足裏と靴底との相互に当接する面同士が上記中敷き１を介して全面的に接着されることになる。
【００２０】
このようにして足裏と靴底とを中敷き１を介して全面的に接着することにより、足裏と靴底との間の滑りがほぼ完全に防止されて足と靴とが一体化するため、足の運動力が靴を介して地面に確実にかつほぼ完全に伝わることになり、高い運動効率が得られる。
この結果、ランニング、跳躍、投擲などの陸上競技や、野球、サッカー、テニスなどの球技等において、上記中敷き１を使用することにより、走力や瞬発力等が格段に向上することになる。
【００２１】
図４には本発明に係る中敷きの第２実施形態が示されている。この第２実施形態の中敷き１０は、踵に対応する部位の第２面１ｂに、クッション性のある衝撃吸収部１１を有している点で上記第１実施形態の中敷き１と相違している。上記衝撃吸収部１１は、ポリマーにより形成することができる。また、この衝撃吸収部１１は、中敷き１０の第１面１ａ側に形成することも、第１面１ａと第２面１ｂの両方に形成することもできる。
なお、この第２実施形態の中敷き１０の上記以外の構成は第１実施形態の中敷き１と実質的に同じであるため、同一構成部分に第１実施形態の中敷き１と同じ符号を付してその説明は省略する。
【００２２】
上記中敷き１，１０は、通常人の足裏寸法より若干大きめに形成しておき、使用時に自分の足裏寸法に合わせて挟み等で切断することにより寸法調整することもできる。あるいは、長方形や楕円形等に形成した中敷き素材を、使用時に自分の足裏形状に合わせて挟み等で切断することにより上記中敷き１，１０を形成することもできる。
【符号の説明】
【００２３】
１，１Ａ，１Ｂ，１０      中敷き
１ａ      第１面
１ｂ      第２面
２      粘着面
３      粘着剤
４      ベースシート
５，６      離形シート
６ｂ      折返部  
６ｃ      摘み部
７      足
７ａ      足裏
８      靴
８ａ      靴底
１１      衝撃吸収部
【図１】
2011019764.tif 000003
【図２】
2011019764.tif 000004
【図３】
2011019764.tif 000005
【図４】
2011019764.tif 000006